(57)【要約】  【課題】  光ディスクに記録されたデータを簡便に効率よく廃棄することができるディスクの記録データ消去装置を提供する。  【解決手段】  ディスク１を回転させるスピンドルモータ３と、光ピックアップ５を前記ディスク１の半径方向に往復動させるスレッドモータ４と、前記ディスク１の記録データを消去させるモードを設定する設定手段１４と、この設定手段１４からデータ消去指令があると、前記スピンドルモータ３の回転を制御し、前記ディスク１をランダムな速度で回転させつつ、このディスク１にデータを上書きさせる制御手段１５と、を備えた。【選択図】      図  １
2007184053.tif 000002
【特許請求の範囲】
【請求項１】
ディスクを回転させるスピンドルモータと、
光ピックアップを前記ディスクの半径方向に往復動させるスレッドモータと、
前記ディスクの記録データを消去させるモードを設定する設定手段と、
この設定手段からデータ消去指令があると、前記スピンドルモータの回転を制御し、前記ディスクをランダムな速度で回転させつつ、このディスクにデータを上書きさせる制御手段と、を備えたディスクの記録データ消去装置。
【請求項２】
前記データがメモリに記憶されたダミーデータであり、前記制御手段が前記設定手段からのデータ消去指令を受けると、前記スレッドモータの回転を制御し、前記光ピックアップを前記ディスクの半径方向へランダムに移動させつつ、前記メモリのダミーデータを前記ディスクに上書きさせることを特徴とする請求項１に記載のディスクの記録データ消去装置。
【発明の詳細な説明】
【技術分野】
【０００１】
本発明は、光ディスクにデータを記録／再生するディスク装置に係り、特に、  ＤＶＤ等の光ディスクに記録されたデータを簡便に廃棄し得るディスクの記録データ消去装置に関する。
【背景技術】
【０００２】
光ディスクのような情報記録媒体は、記録されたデータが不要になった場合、機密漏洩の防止をはかる必要があることから、記録データを消去して廃棄可能にする方法や装置が各種提案されている。
【０００３】
この一例として、追記型光ディスクの大量の不要データを廃棄することを目的とした光ディスクのデータ廃棄方法が知られている（例えば、特許文献１参照）。
【０００４】
このものは、管理データ領域および実データ領域に、源データが読み出せなくなるデータパターンの書き込みを通常のデータ書き込みの速さよりも高速で行うようになっている。
【０００５】
この光ディスクのデータをセクタ単位で消去する場合、制御部が回転駆動部に通常の回転を指示し、ヘッドがトラックセクタを確認しながら、データの塗りつぶしを行わせる。
【０００６】
また、廃棄するデータがトラック全体の場合、ヘッドがトラックにセットされた後、制御部が回転駆動部に高速の回転を指示し、高速の塗りつぶしを行わせるものである。
【特許文献１】特開昭６２−１７５９３２号公報  また、追記型情報記録媒体に記録されている情報の再生を短時間で不可能にする情報破壊方法も提案されている（例えば、特許文献２参照）。
【０００７】
この情報破壊方法は、追記型情報記録媒体（光ディスク）の記憶領域におけるユーザーデータが記録されている領域、および管理情報の少なくとも一方を含む領域を破壊領域とし、前記情報記録媒体を回転させながらテストデータとしてレーザー光を破壊領域に照射する工程を含んでいる。
【０００８】
これにより、破壊領域にテストデータが上書きされ、光ディスクに記録された情報の再生を短時間で不可能にできる。
【特許文献２】特開２００４−１８５６５６号公報  さらに、格別な装置を必要とすることなく、簡便にデータを消去することを目的とした光ディスクのデータ消去方式も知られている（例えば、特許文献３参照）。
【０００９】
このものは、データ記録時に相当するパワーのレーザー光を、データ記録済みの光ディスクにピックアップから照射するとともに、光ディスク上でピックアップをトラッキング制御を行うことなくディスクの半径方向に移動させて、二重書用信号を記録するものである。
【００１０】
これにより、光ディスクにデータを二重書きするので、格別な構成を要せずにデータを消去できるというものである。
【特許文献３】特開２００１−１４６８１号公報  加えて、追記型光ディスクに記録されているデータを読み出すことができないよう、別のデータを記録することを目的とした光ディスク装置が提案されている（例えば、特許文献４参照）。
【００１１】
この光ディスク装置は、光ピックアップから記録パワーのレーザ光を照射させ、フォーカスサーボのみを行い、光ピックアップを一定速度で光ディスクの半径方向に内周側から外周側に移動させ、元データの螺旋状トラックに対して、所定の間隔で交差する別の螺旋状トラックを形成するようになっている。
【特許文献４】特開２００４−２８０９９１号公報
【発明の開示】
【発明が解決しようとする課題】
【００１２】
しかしながら、上記特許文献１の光ディスクのデータ廃棄方法は、光ディスクに源データが読み出せなくなるデータパターンを書き込んでデータの塗りつぶしを行うが、追記型光ディスクのトラックにレーザー光を照射した場合、若干の凹凸が残ることから、データパターンが読み取られて記録データの内容を知られるおそれがあった。
【００１３】
また、上記特許文献２の情報破壊方法は、記録時の速度を超えて回転させることにより不要データを破壊するが、光ディスクの破壊領域にテストデータを単に上書きするだけなので、その書き込みパターンが読み取られ易いという難点があった。
【００１４】
また、上記特許文献３の光ディスクのデータ消去方式は、ピックアップをディスクの外周側へ移動させて二重書き用信号を記録しデータを破壊するため、二重書き用信号が規則的になると、この規則性が読み取られて記録データの内容を知られるおそれがあった。
【００１５】
また、上記特許文献４の光ディスク装置は、ピックアップを定速度でディスクの外周側へ移動させて、消去用データを記録することにより、元データを読み出せないように消去するが、前述の如く規則性が読み取られると、記録データの内容を知られるという問題が残されていた。
【００１６】
本発明は、上記課題に鑑みてなされたもので、光ディスクに記録されたデータを簡便に効率よく廃棄することができるディスクの記録データ消去装置を提供することを目的としている。                 
【課題を解決するための手段】
【００１７】
上記目的を達成するため、本発明によるディスクの記録データ消去装置は、ディスクを回転させるスピンドルモータと、光ピックアップを前記ディスクの半径方向に往復動させるスレッドモータと、前記ディスクの記録データを消去させるモードを設定する設定手段と、この設定手段からデータ消去指令があると、前記スピンドルモータの回転を制御し、前記ディスクをランダムな速度で回転させつつ、このディスクにデータを上書きさせる制御手段と、を備えたことを特徴としている。
また、前記データがメモリに記憶されたダミーデータであり、前記制御手段が前記設定手段からのデータ消去指令を受けると、前記スレッドモータの回転を制御し、前記光ピックアップを前記ディスクの半径方向へランダムに移動させつつ、前記メモリのダミーデータを前記ディスクに上書きさせることを特徴としている。
【発明の効果】
【００１８】
以上説明したように、本発明によるディスクの記録データ消去装置は、設定手段からデータ消去指令があると、スピンドルモータの回転を制御し、ディスクをランダムな速度で回転させつつ、このディスクにデータを上書きさせることから、このデータ消去に規則性が無いために記録データを読み取られる問題なく光ディスクのデータを効率よく廃棄できる効果がある。
また、スレッドモータの回転を制御し、光ピックアップをディスクの半径方向へランダムに移動させつつ、メモリのダミーデータをディスクに上書きさせるので、やはり、データ消去に規則性が無いために記録データを読み取られる問題なく光ディスクのデータを効率よく廃棄できる利点がある。
【発明を実施するための最良の形態】
【００１９】
以下、本発明に係るディスクの記録データ消去装置の実施形態について、図面を参照しながら詳述する。
【００２０】
図１は本発明の一実施形態であるディスクの記録データ消去装置の電気的構成を示すブロック線図である。
【００２１】
本実施形態の装置は、ＣＤやＤＶＤ等の光ディスクに情報を記録／再生するディスク装置に適用されるもので、本例では、追記型のＤＶＤ１について説明する。
このＤＶＤ１は、ＤＶＤ―ＲＡＭのような普及型であり、そのトラックにリードインエリヤ、ユーザーデータエリヤおよびリードアウトエリヤが設けられている。
そして、ユーザーデータエリヤに、動画や静止画および音声情報からなるオーディオ・ビデオデータ（ＡＶデータ）が記録され、このＡＶデータの管理情報がリードインエリヤに記録されるようになっている。
このリードインエリヤは、管理情報エリヤにディスクタイプ、ディスクサイズ、記録密度、記録開始・終了位置を示す物理セクタ番号等のディスク全体に関する情報、その他１枚づつの製造に関する情報等が事前に記録されている。
図１において、２はＤＶＤ１を載置するディスクトレイであり、スピンドルモータ３によって回転駆動される。
このスピンドルモータ３は、スレッドモータ４や図示省略したトレイモータとともに、サーボ制御部１１によって駆動制御される。
このサーボ制御部１１は、システムコントローラ１５の制御に従い、光ピックアップ５から送出される各種受光出力をフィードバックし、光ピックアップ５に関するトラッキングサーボ、フォーカスサーボおよびスレッドサーボを制御する。
５は光ピックアップであり、ＤＶＤ１のトラックに情報を書き込みおよび光学的に読み取った再生情報をＲＦアンプ１２に出力する。
【００２２】
この光ピックアップ５は、対物レンズ６、トラッキングアクチュエータ７、フォーカスアクチュエータ８等を備えて構成されている。
【００２３】
対物レンズ６は、半導体レーザーから放射され、回折格子でメインビームと２つのサブビームに分割された光ビームをＤＶＤ１の記録面に照射する。
【００２４】
トラッキングアクチュエータ７には、トラッキングコントローラ９からの制御信号が導かれている。
このトラッキングコントローラ９は、システムコントローラ１５の指令により、トラッキングアクチュエータ７を駆動し、光ピックアップ５をトラッキング方向に移動させる制御を行う。
また、フォーカシングアクチュエータ８には、フォーカシングコントローラ１０からの制御信号が導かれている。
【００２５】
このフォーカシングコントローラ１０は、システムコントローラ１５の指令により、ＤＶＤ１へのアクセス時において、光ピックアップ５をフォーカス方向に移動させる制御を行う。
なお、この光ピックアップ５には、図示省略しているが、レーザー制御回路の出力が導かれている。このレーザー制御回路は、光ピックアップ５から発生させるレーザー光の出力強度を調節し、記録データに応じた書き込みパルスを生成する。
そして、このＤＶＤ１に記録されたデータを消去するときは、後述のダミーデータに基づいた書き込みパルスを生成するようになっている。
１３は信号処理部であり、ＲＦアンプ１２の出力が導かれている。この信号処理部１３は、ＲＦアンプ１２からの再生情報を受けて管理情報を抽出し、ディスク判別部を兼ねるシステムコントローラ１５側に送出する。
１４は設定操作部であり、消去設定キーを含む各種設定キーを備えていて、出力がシステムコントローラ１５に接続されている。
消去設定キーは、ＤＶＤ１の記録情報を消去させる設定を行うもので、第１または第２消去方式の何れかを選択可能となっている。
この消去設定キーを入力操作したときは、ＤＶＤ１のデータを消去させる指令信号がシステムコントローラ１５側に送出され、モニタの画面に消去方式の種別を選択させる表示がなされ、何れかを選択設定できるようになっている。
なお、第１消去方式では、スピンドルモータ３をランダムに回転させ、第２消去方式は、スレッドモータ４の回転を可変し、光ピックアップ５をＤＶＤ１の半径方向へランダムに移動させるものである。
システムコントローラ１５は、マイクロコンピュータからなる制御部であり、メモリ１５ａやタイマを備えている。
このシステムコントローラ１５は、前記サーボ制御部１１と双方向性に接続されており、信号処理部１３や設定操作部１４の出力が導かれている。
前記メモリ１５ａには、ＤＶＤ１の記録データを消去するために予めダミーデータや消去コマンドのデータが記憶されている。
ダミーデータは、“０”“ １”のビットデータを無作為に組み合わせたデータ群であり、所要の時間分を生成して記憶してある。
なお、このダミーデータは、ＤＶＤ１に予め記録されたデータを用いてもよい。この場合は、ＤＶＤ１を再生させて、所要の時間分のデータをメモリ１５ａに記憶させておけばよい。
また、消去コマンドは、サーボ制御部１１を制御する指令信号であって、前記第１および第２消去方式に対応しており、ユーザーの選択操作に応じてシステムコントローラ１５が回路各部を制御する。
即ち、第１消去方式では、サーボ制御部１１を介してスピンドルモータ３をランダムに回転させつつ、ＤＶＤ１にダミーデータを上書きさせる。
また、第２消去方式は、サーボ制御部１１を介してスレッドモータ４をランダムに回転させつつ、トラッキングアクチュエータ７を駆動し、光ピックアップ５を半径方向へランダムに移動させながらＤＶＤ１にダミーデータを上書きさせる方法である。
次に、上記ディスクの記録データ消去装置の動作について、図を参照しつつ説明する。
ユーザーが設定操作部１４により、例えば、ＤＶＤ１の記録情報を第１消去方式で消去させる設定操作を行うと、この指令を受けたシステムコントローラ１５が消去動作モードに移行する。
この消去動作モードでは、システムコントローラ１５がサーボ制御部１１を制御し、スピンドルモータ３を起動させてＤＶＤ１を回転させる。
そして、第１消去方式の消去指令に応じてサーボ制御部１１に消去コマンドを送出する。
このサーボ制御部１１は、消去コマンドに従いスピンドルモータ３への供給電流を自在に可変させる。すると、このスピンドルモータ３が起動後にランダムな回転に変化する。
これに伴い、システムコントローラ１５は、メモリ１５ａからダミーデータを読み出し、光ピックアップ５に送出する。この光ピックアップ５は、ダミーデータに応じた書き込みパルスを生成し、ＤＶＤ１のトラックに記録する。
【００２６】
ここで、ダミーデータは、図２（ａ）に示す如くビットデータ “０”（Ｌ）と“ １”（Ｈ）とを任意の数で、無作為に組み合わせたものである。
【００２７】
なお、本例では、ビットデータの数が異なることを長さで示すため、“１”の側のみ同図のＰ１，Ｐ２〜Ｐ４で表示している。
【００２８】
このようなダミーデータは、スピンドルモータ３の回転が定速より早くなると、図２（ｂ）に示すように、その回転速度に応じてトラックへの書き込み間隔が長くなり、ビットデータ “１”のＰ１，Ｐ２〜Ｐｎが、Ｐｆ１，Ｐｆ２〜Ｐｆｎのように間延びする。
【００２９】
一方、低速になったときは、図２（ｃ）に示すように、その回転速度に応じてトラックへの書き込み間隔が短くなり、ビットデータ “１”のＰ１，Ｐ２〜ＰｎがＰｄ１，Ｐｄ２〜Ｐｄｎの如くに短縮する。
【００３０】
この書き込みは、トラック全体に及ぶので、ＤＶＤ１に予め記録されたデータの上に無意味なデータが不規則に上書きされる。
【００３１】
よって、このＤＶＤ１が再生されることがあっても、記録データを読み取れず、内容を判別できないから、このＤＶＤ１のデータが確実に廃棄される。
次に、ユーザーが設定操作部１４で、ＤＶＤ１の記録情報を第２消去方式により消去させる設定操作を行うと、システムコントローラ１５は、サーボ制御部１１に第２消去方式の消去コマンドを送出する。
【００３２】
このサーボ制御部１１が消去コマンドを受けると、スレッドモータ４への供給電流を自在に可変させる。
すると、スレッドモータ４がランダムに回転し、光ピックアップ５をＤＶＤ１の半径方向へ不規則に移動させる。これに伴い、サーボ制御部１１は、トラッキングアクチュエータ７を駆動し、光ピックアップ５をトラッキングさせる。
また、メモリ１５ａからダミーデータを読み出し、光ピックアップ５にて書き込ませる。
【００３３】
これにより、ＤＶＤ１のトラックには、予め記録されたデータの上に無意味なデータが不規則に上書きされる。
【００３４】
よって、第１消去方式の場合と同じく、このＤＶＤ１が再生されることがあっても、記録データを読み取れず、内容も判別できないから、このＤＶＤ１のデータが確実に廃棄される。
なお、本装置は、上記各実施の形態に限定されず、本発明の趣旨を逸脱しない範囲で種々の変更が可能である。
【図面の簡単な説明】
【００３５】
【図１】本発明の一実施形態であるディスクの記録データ消去装置の電気的構成を示すブロック線図である。
【図２】同ディスクの記録データ消去装置の消去動作を説明するためのタイミングチャートである。
【符号の説明】
【００３６】
１        ディスク
３        スピンドルモータ
４        スレッドモータ
５        光ピックアップ
１４      設定手段
１５      制御手段
【図１】
2007184053.tif 000003
【図２】
2007184053.tif 000004